(57)【特許請求の範囲】
【請求項１】
少なくとも基材と、透明フィルムと、表面保護層とをこの順に有する加飾シートであって、該表面保護層がポリカーボネート（メタ）アクリレート及び／又はアクリルシリコーン（メタ）アクリレートを含有する電離放射線硬化性樹脂組成物の硬化物からなり、該アクリルシリコーン（メタ）アクリレートは、１分子中に、アクリル樹脂の構造の一部がシロキサン結合に置換しており、かつ官能基としてアクリル樹脂の側鎖及び／又は主鎖末端に（メタ）アクリロイルオキシ基を２個以上有するものであり、前記透明フィルムを構成する熱可塑性樹脂が、ポリエステル系樹脂、ポリオレフィン系樹脂、アクリル系樹脂及びポリカーボネート系樹脂からなる群から選択される少なくとも１種であることを特徴とする加飾シート。
【請求項２】
前記電離放射線硬化性樹脂組成物が、ポリカーボネート（メタ）アクリレートと多官能（メタ）アクリレートとを含有し、ポリカーボネート（メタ）アクリレート／多官能（メタ）アクリレートの質量比が９８／２〜７０／３０である、請求項１に記載の加飾シート。
【請求項３】
前記ポリカーボネート（メタ）アクリレートの重量平均分子量が、２，０００を超える請求項１又は２に記載の加飾シート。
【請求項４】
前記電離放射線硬化性樹脂組成物が、アクリルシリコーン（メタ）アクリレートと多官能（メタ）アクリレートとを含有し、アクリルシリコーン（メタ）アクリレート／多官能（メタ）アクリレートの質量比が９５／５〜５０／５０である、請求項１に記載の加飾シート。
【請求項５】
前記アクリルシリコーン（メタ）アクリレートの重量平均分子量が、２，０００〜１００，０００である請求項１又は４に記載の加飾シート。
【請求項６】
前記多官能（メタ）アクリレートが、３官能以上の（メタ）アクリレートである、請求項２〜５のいずれかに記載の加飾シート。
【請求項７】
請求項１〜６のいずれかに記載の加飾シートと、射出樹脂とを有する加飾樹脂成型品。
【発明の詳細な説明】
【技術分野】
【０００１】
本発明は加飾シート及び加飾樹脂成型品に関する。
【背景技術】
【０００２】
成形品の表面に加飾シートを積層することで加飾した加飾樹脂成形品が、車両内装部品などの各種用途で使用されている。このような加飾樹脂成形品の成形方法としては、加飾シートを真空成形型により予め立体形状に成形しておき、該成形シートを射出成形型に挿入し、流動状態の樹脂を型内に射出して樹脂と成形シートを一体化するインサート成形法や、射出成形の際に金型内に挿入された加飾シートを、キャビティ内に射出注入された溶融樹脂と一体化させ、樹脂成形体表面に加飾を施す射出成形同時加飾法などが挙げられる。
【０００３】
近年、加飾樹脂成型品に要求される耐傷性や耐薬品性などの物性が高まってきている背景から、その表面を構成する加飾シートに要求される物性も高まっている。このような要求に応えるために加飾シートに表面保護層を設けることが提案されているが、加飾シートは加飾樹脂成型品の表面を構成するものであることから、一定のレベルの三次元成形性（三次元成形への追従性）及び形状安定性（三次元成形後の安定性）を満たしつつ、耐傷性や耐薬品性などの物性を向上させることが求められる。加飾シートの三次元成性が低い場合、インサート成形法では加飾シートを真空成形型により予め三次元（立体）形状に成形する過程、射出成形同時加飾法では加飾シートが予備成形時にあるいは溶融樹脂の射出時に、キャビティの内周面に沿うように延伸されて密着する過程で、加飾シートが真空圧空作用により、あるいは溶融樹脂の圧力、剪断応力による引っ張りなどによって、金型形状に沿うために最低必要な量以上に伸ばされるため、成形品の曲面部の表面保護層にクラックが入るという問題が生じうる。また、三次元成形性が高くても形状安定性が低い場合には、三次元成形後に加飾シートに歪みが生じることから、特にインサート成形法での加飾樹脂成型品の成形では問題が生じやすくなる。
【０００４】
上記問題点に対して、表面保護層として紫外線硬化性樹脂などの電離放射線硬化性樹脂を用い、加飾シートの表面保護層を形成する樹脂の架橋密度を高めることにより、加飾樹脂成形品の表面の耐摩耗性や耐傷付き性を向上させる試みがなされたが、依然として成形の際に成形品曲面部にクラックが生じるという問題があった。
また、表面保護層として紫外線硬化性樹脂などの電離放射線硬化性樹脂を用い、加飾シートの段階では半硬化状態とし、加飾成形された後に完全硬化させる方法が試みられたが（特許文献１参照）、未硬化樹脂成分を含む表面保護層は傷つきやすく、取り扱いが困難であり、未硬化樹脂成分が金型に付着することによる金型汚染の問題があった。この問題点を解決するために半硬化状態の表面保護層上に保護フィルムを設ける方法があるが、製造が煩雑になるとともに、コストアップの要因ともなる。
【０００５】
また、表面保護層としてアクリルフィルムを用いた例も多数報告されているが（特許文献２〜４参照）、近年、加飾シートに求められている耐傷性や耐薬品性などの物性、あるいは意匠性に十分に応えられるものではない。
【先行技術文献】
【特許文献】
【０００６】
【特許文献１】特開平６−１３４８５９号公報
【特許文献２】特許第３５９８２２０号公報
【特許文献３】特許第４１９４６７０号公報
【特許文献４】特開２００８−１１０５３２号公報
【発明の概要】
【発明が解決しようとする課題】
【０００７】
本発明は、このような状況下で、良好な三次元成形性及び形状安定性を維持しつつ、優れた耐傷性及び耐薬品性を有する加飾シート、及び該加飾シートを用いた加飾樹脂成型品を提供することを課題とする。
【課題を解決するための手段】
【０００８】
本発明者らは、前記課題を解決するために鋭意研究を重ねた結果、下記の発明により解決できることを見出した。すなわち本発明は、下記の加飾シート及び加飾樹脂成型品を提供するものである。
＜１＞
少なくとも基材と、透明フィルムと、表面保護層とをこの順に有する加飾シートであって、該表面保護層がポリカーボネート（メタ）アクリレート及び／又はアクリルシリコーン（メタ）アクリレートを含有する電離放射線硬化性樹脂組成物の硬化物からなり、該アクリルシリコーン（メタ）アクリレートは、１分子中に、アクリル樹脂の構造の一部がシロキサン結合に置換しており、かつ官能基としてアクリル樹脂の側鎖及び／又は主鎖末端に（メタ）アクリロイルオキシ基を２個以上有するものであり、前記透明フィルムを構成する熱可塑性樹脂が、ポリエステル系樹脂、ポリオレフィン系樹脂、アクリル系樹脂及びポリカーボネート系樹脂からなる群から選択される少なくとも１種であることを特徴とする加飾シート。
＜２＞
上記＜１＞に記載の加飾シートと、射出樹脂とを有する加飾樹脂成型品。
【発明の効果】
【０００９】
本発明の加飾シートは、良好な三次元成形性及び形状安定性を維持しつつ、優れた耐傷性及び耐薬品性を有する。したがって、インサート成形法及び射出成形同時加飾法のいずれにおいても表面にクラック等が入ることがなく、加飾樹脂成形品に優れた耐傷性及び耐薬品性を付与することができる。
【図面の簡単な説明】
【００１０】
【図１】本発明の加飾シートの一つの態様の断面を示す模式図である。
【発明を実施するための形態】
【００１１】
１．加飾シート
本発明の加飾シートは、少なくとも基材と、透明フィルムと、表面保護層とをこの順に有し、該表面保護層がポリカーボネート（メタ）アクリレート及び／又はアクリルシリコーン（メタ）アクリレートを含有する電離放射線硬化性樹脂組成物の硬化物からなる。
本発明の加飾シートは、上述した基材、透明フィルム、及び表面保護層に加え、必要に応じて、それら以外の層を更に有していてもよい。
以下に、本発明の加飾シートの構成について図１を用いて詳細に説明する。図１は、本発明の加飾シートの一つの態様の断面を示す模式図であり、当該様態において、加飾シート１０は、基材１１、絵柄層１２、透明フィルム１３、プライマー層１４及び表面保護層１５をこの順に有している。なお、本発明は当該様態に限定されるわけではない。
【００１２】
１−１．表面保護層
表面保護層１５は、ポリカーボネート（メタ）アクリレート及び／又はアクリルシリコーン（メタ）アクリレートを含有する電離放射線硬化性樹脂組成物の硬化物からなる。表面保護層１５に、特定の電離放射線硬化性樹脂組成物を用いることにより、加飾シート１０に対して、三次元成形性を損なうことなく、耐傷性や耐薬品性などの表面特性の向上を付与することができる。
本発明において、電離放射線硬化性樹脂組成物とは、電離放射線硬化性樹脂を含有する組成物をいう。電離放射線硬化性樹脂とは、電離放射線を照射することにより、架橋、硬化する樹脂を指す。ここで電離放射線とは、電磁波又は荷電粒子線のうち、分子を重合あるいは架橋しうるエネルギー量子を有するものを意味し、通常紫外線（ＵＶ）又は電子線（ＥＢ）が用いられるが、その他、Ｘ線、γ線などの電磁波、α線、イオン線などの荷電粒子線も含むものである。
本発明の電離放射線硬化性樹脂組成物は、電離放射線硬化性樹脂として、少なくともポリカーボネート（メタ）アクリレート及び／又はアクリルシリコーン（メタ）アクリレートを含有する。
本発明において、「（メタ）アクリレート」とは「アクリレート又はメタクリレート」を意味し、他の類似するものも同様の意である。
【００１３】
本発明に用いられるポリカーボネート（メタ）アクリレートは、ポリマー主鎖にカーボネート結合を有し、かつ末端あるいは側鎖に（メタ）アクリレートを有するものであれば特に限定されない。また、この（メタ）アクリレートは、架橋、硬化する観点から、２官能以上有することが好ましい。
ポリカーボネート（メタ）アクリレートは、例えば、ポリカーボネートポリオールの水酸基の一部又は全てを（メタ）アクリレート（アクリル酸エステル又はメタクリル酸エステル）に変換して得られる。このエステル化反応は、通常のエステル化反応によって行うことができる。例えば、１）ポリカーボネートポリオールとアクリル酸ハライド又はメタクリル酸ハライドとを、塩基存在下に縮合させる方法、２）ポリカーボネートポリオールとアクリル酸無水物又はメタクリル酸無水物とを、触媒存在下に縮合させる方法、あるいは３）ポリカーボネートポリオールとアクリル酸又はメタクリル酸とを、酸触媒存在下に縮合させる方法などが挙げられる。
【００１４】
上記のポリカーボネートポリオールは、ポリマー主鎖にカーボネート結合を有し、末端あるいは側鎖に２個以上、好ましくは２〜５０個の、より好ましくは３〜５０個の水酸基を有する重合体である。このポリカーボネートポリオールの代表的な製造方法は、ジオール化合物（Ａ）、３価以上の多価アルコール（Ｂ）、及びカルボニル成分となる化合物（Ｃ）とから重縮合反応による方法である。
原料として用いられるジオール化合物（Ａ）は、一般式ＨＯ−Ｒ１−ＯＨで表される。ここで、Ｒ１は、炭素数２〜２０の２価炭化水素基であって、基中にエーテル結合を含んでいてもよい。例えば、直鎖、又は分岐状のアルキレン基、シクロヘキシレン基、フェニレン基である。
【００１５】
ジオール化合物（Ａ）の具体例としては、エチレングリコール、１，２−プロピレングリコール、ジエチレングリコール、ジプロピレングリコール、トリエチレングリコール、ポリエチレングリコール、ネオペンチルグリコール、１，３−プロパンジオール、１，４−ブタンジオール、１，５−ペンタンジオール、３−メチル−１，５ペンタンジオール、１，６−ヘキサンジオール、１，８−オクタンジオール、１，３−ビス（２−ヒドロキシエトキシ）ベンゼン、１，４−ビス（２−ヒドロキシエトキシ）ベンゼン、ネオペンチルグリコール、１，４−シクロヘキサンジオール、１，４−シクロヘキサンジメタノールなどが挙げられる。これらジオールは、単独で用いても、あるいは２種以上を混合して用いてもよい。
【００１６】
３価以上の多価アルコール（Ｂ）の例としては、トリメチロールプルパン、トリメチロールエタン、ペンタエリスリトール、ジトリメチロールプロパン、ジペンタエリスリトール、グリセリン、ソルビトールなどのアルコール類を挙げることができる。さらに、これらの多価アルコールの水酸基に対して、１〜５当量のエチレンオキシド、プロピレンオキシド、あるいはその他のアルキレンオキシドを付加させた水酸基を有するアルコール類であってもよい。これら多価アルコールは、単独で用いても、あるいは２種以上を混合して用いてもよい。
【００１７】
カルボニル成分となる化合物（Ｃ）は、炭酸ジエステル、ホスゲン、又はこれらの等価体の中から選ばれるいずれかの化合物である。その具体例としては、炭酸ジメチル、炭酸ジエチル、炭酸ジイソプロピル、炭酸ジフェニル、エチレンカーボネート、プロピレンカーボネートなどの炭酸ジエステル類、ホスゲン、あるいはクロロギ酸メチル、クロロギ酸エチル、クロロギ酸フェニルなどのハロゲン化ギ酸エステル類などが挙げられる。これら化合物は、単独で用いても、あるいは２種以上を混合して用いてもよい。
【００１８】
ポリカーボネートポリオールは、前記したジオール化合物（Ａ）、３価以上の多価アルコール（Ｂ）、及びカルボニル成分となる化合物（Ｃ）とを、一般的な条件下で重縮合反応することにより合成される。例えば、ジオール化合物（Ａ）と多価アルコール（Ｂ）との仕込みモル比は、５０：５０〜９９：１の範囲にあることが好ましく、また、カルボニル成分となる化合物（Ｃ）のジオール化合物（Ａ）と多価アルコール（Ｂ）に対する仕込みモル比は、ジオール化合物及び多価アルコールの持つ水酸基に対して、０．２〜２当量であることが好ましい。
前記の仕込み割合で重縮合反応した後のポリカーボネートポリオール中に存在する水酸基の当量数（ｅｑ．／ｍｏｌ）は、１分子中に平均して３以上、好ましくは３〜５０、より好ましくは３〜２０である。この範囲であると、後述するエステル化反応によって必要な量の（メタ）アクリレート基が形成され、またポリカーボネート（メタ）アクリレート樹脂に適度な可撓性が付与される。なお、このポリカーボネートポリオールの末端官能基は、通常はＯＨ基であるが、その一部がカーボネート基であってもよい。
以上説明したポリカーボネートポリオールの製造方法は、例えば、特開昭６４−１７２６号公報に記載されている。また、このポリカーボネートポリオールは、特開平３−１８１５１７号公報に記載されているように、ポリカーボネートジオールと３価以上の多価アルコールとのエステル交換反応によっても製造することができる。
【００１９】
本発明に用いられるポリカーボネート（メタ）アクリレートの分子量は、ＧＰＣ分析によって測定され、かつ標準ポリスチレンで換算された重量平均分子量が、５００以上であることが好ましく、１，０００以上であることがより好ましく、２，０００を超えることがさらに好ましい。ポリカーボネート（メタ）アクリレートの重量平均分子量の上限は特に制限されないが、粘度が高くなり過ぎないように制御する観点から１００，０００以下が好ましく、５０，０００以下がより好ましい。耐傷性と三次元成形性とを両立させる観点から、さらに好ましくは、２，０００を超え５０，０００以下であり、特に好ましくは、５，０００〜２０，０００である。
【００２０】
本発明に用いられるアクリルシリコーン（メタ）アクリレートは、１分子中に、アクリル樹脂の構造の一部がシロキサン結合（Ｓｉ−Ｏ）に置換しており、かつ官能基としてアクリル樹脂の側鎖及び／又は主鎖末端に（メタ）アクリロイルオキシ基（アクリロイルオキシ基又はメタアクリロイルオキシ基）を２個以上有しているものであれば特に限定されない。このアクリルシリコーン（メタ）アクリレートの例としては、例えば、特開２００７−０７０５４４号公報に開示されるような側鎖にシロキサン結合を有するアクリル樹脂の構造が好ましく挙げられる。
【００２１】
本発明に用いられるアクリルシリコーン（メタ）アクリレートは、例えばラジカル重合開始剤の存在下、シリコーンマクロモノマーを（メタ）アクリレートモノマーとラジカル共重合させることにより合成することができる。
（メタ）アクリレートモノマーとしては、メチル（メタ）アクリレート、エチル（メタ）アクリレート、プロピル（メタ）アクリレート、ブチル（メタ）アクリレート、２−エチルヘキシル（メタ）アクリレート、グリシジル（メタ）アクリレートなどが挙げられる。これら（メタ）アクリレートモノマーは１種を単独で又は２種を組み合わせて用いられる。
【００２２】
シリコーンマクロモノマーは、例えば、ｎ−ブチルリチウム又はリチウムシラノレートを重合開始剤として、ヘキサアルキルシクロトリシロキサンをリビングアニオン重合し、更にラジカル重合性不飽和基含有シランでキャッピングして合成される。シリコーンマクロモノマーとしては、下記式（１）で表される化合物が好適に用いられる。
【００２３】
【化１】
0005850129.tif 000002
【００２４】
式（１）中、Ｒ１は、炭素数１〜４のアルキル基を示し、メチル基又はｎ−ブチル基が好ましい。Ｒ２は、１価の有機基を示し、−ＣＨ＝ＣＨ２、−Ｃ６Ｈ４−ＣＨ＝ＣＨ２、−（ＣＨ２）３Ｏ（ＣＯ）ＣＨ＝ＣＨ２又は−（ＣＨ２）３Ｏ（ＣＯ）Ｃ（ＣＨ３）＝ＣＨ２が好ましい。Ｒ３は、それぞれ同一であっても異なっていてもよく、炭素数１〜６の炭化水素基を示し、炭素数１〜４のアルキル基又はフェニル基が好ましく、メチル基がより好ましい。また、ｎの数値は特に制限されず、例えばシリコーンマクロモノマーの数平均分子量が１，０００〜３０，０００が好ましく、１，０００〜２０，０００がより好ましい。
【００２５】
上述の原料を用いて得られるアクリルシリコーン（メタ）アクリレートは、例えば、下記式（２）、（３）及び（４）で表される構造単位を有する。
【００２６】
【化２】
0005850129.tif 000003
【００２７】
式（２）、（３）及び（４）中、Ｒ１、Ｒ３は式（１）におけるものと同義であり、Ｒ４は水素原子又はメチル基を示し、Ｒ５は上記（メタ）アクリレートモノマー中のアルキル基又はグリシジル基あるいは上記（メタ）アクリレートモノマー中のアルキル基又はグリシジル基等の官能基を有していてもよいアルキル基を示し、Ｒ６は（メタ）アクリロイルオキシ基を有する有機基を示す。
上述のアクリルシリコーン（メタ）アクリレートは、１種を単独で又は２種を組み合わせて用いられる。
【００２８】
上記のアクリルシリコーン（メタ）アクリレートの分子量は、ＧＰＣ分析によって測定され、かつ標準ポリスチレンで換算された重量平均分子量が、１，０００以上であることが好ましく、２，０００以上であることがより好ましい。アクリルシリコーン（メタ）アクリレートの重量平均分子量の上限は特に制限されないが、粘度が高くなり過ぎないように制御する観点から１５０，０００以下が好ましく、１００，０００以下がより好ましい。三次元成形性と耐薬品性と耐傷性をバランスの観点から、２，０００〜１００，０００であることが特に好ましい。
また、アクリルシリコーン（メタ）アクリレートの架橋点間平均分子量は、１００〜２,５００であることが好ましい。架橋点間平均分子量が１００以上であれば、三次元成形性の観点から好ましく、２,５００以下であれば、耐薬品性及び耐傷性の観点から好ましい。
【００２９】
本発明の電離放射線硬化性樹脂組成物において、ポリカーボネート（メタ）アクリレートとアクリルシリコーン（メタ）アクリレートは各々単独で用いてもよいし、併用してもよい。
【００３０】
本発明で用いられる電離放射線硬化性樹脂組成物は、多官能（メタ）アクリレートを含むことが好ましい。多官能（メタ）アクリレートは、２官能以上の（メタ）アクリレートであれば特に制限はない。ただし、硬化性向上の観点からは３官能以上の（メタ）アクリレートが好ましく、三次元成形性向上の観点からは２官能の（メタ）アクリレートが好ましい。ここで、ｎ官能とは、分子内にエチレン性不飽和結合｛（メタ）アクリロイル基又は（メタ）アクリロイルオキシ基｝をｎ個有することをいう。
また、多官能（メタ）アクリレートは、オリゴマー及びモノマーのいずれでもよいが、三次元成形性向上の観点から多官能（メタ）アクリレートオリゴマーが好ましい。
【００３１】
上記の多官能（メタ）アクリレートオリゴマーとしては、例えばウレタン（メタ）アクリレート系オリゴマー、エポキシ（メタ）アクリレート系オリゴマー、ポリエステル（メタ）アクリレート系オリゴマー、ポリエーテル（メタ）アクリレート系オリゴマーなどが挙げられる。また、これら以外にも、ポリブタジエンオリゴマーの側鎖に（メタ）アクリレート基をもつ疎水性の高いポリブタジエン（メタ）アクリレート系オリゴマー、主鎖にポリシロキサン結合をもつシリコーン（メタ）アクリレート系オリゴマー、小さな分子内に多くの反応性基をもつアミノプラスト樹脂を変性したアミノプラスト樹脂（メタ）アクリレート系オリゴマーなどが挙げられる。
また、ノボラック型エポキシ樹脂、ビスフェノール型エポキシ樹脂、脂肪族ビニルエーテル、芳香族ビニルエーテルなどの分子中にカチオン重合性官能基を有するオリゴマーを、上記の多官能（メタ）アクリレートオリゴマーと併用してもよい。
【００３２】
上記の多官能（メタ）アクリレートモノマーとしては、トリメチロールプロパントリ（メタ）アクリレート、エチレンオキサイド変性トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキサイド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレートなどが挙げられる。
以上述べた多官能（メタ）アクリレートオリゴマー及び多官能（メタ）アクリレートモノマーは１種を単独で用いてもよいし、２種以上を組み合わせて用いてもよい。
【００３３】
多官能（メタ）アクリレートをポリカーボネート（メタ）アクリレートと併用する場合において、ポリカーボネート（メタ）アクリレート／多官能（メタ）アクリレートの質量比は９８／２〜７０／３０が好ましい。当該範囲内においては、耐傷性、耐薬品性及び三次元成形性を高いレベルで同時に満足することが出来る。当該質量比は、９５／５〜８０／２０であることがより好ましい。
多官能（メタ）アクリレートをアクリルシリコーン（メタ）アクリレートと併用する場合において、アクリルシリコーン（メタ）アクリレート／多官能（メタ）アクリレートの質量比は９５／５〜５０／５０の範囲が好ましい。当該範囲内においては、耐傷性、耐薬品性及び三次元成形性を高いレベルで同時に満足することが出来る。当該質量比は、９０／１０〜６０／４０であることがより好ましい。
【００３４】
本発明においては、前記多官能（メタ）アクリレートなどとともに、その粘度を低下させるなどの目的で、単官能（メタ）アクリレートを、本発明の目的を損なわない範囲で適宜併用することができる。これらの単官能（メタ）アクリレートは１種を単独で用いてもよいし、２種以上を組み合わせて用いてもよい。
【００３５】
電離放射線硬化性樹脂組成物として紫外線硬化性樹脂組成物を用いる場合には、光重合用開始剤を紫外線硬化性樹脂１００質量部に対して、０．１〜５質量部程度添加することが望ましい。光重合用開始剤としては、従来慣用されているものから適宜選択することができ、特に限定されない。
本発明においては、電離放射線硬化性樹脂組成物として電子線硬化性樹脂組成物を用いることが好ましい。電子線硬化性樹脂組成物は無溶剤化が可能であって、環境や健康の観点からより好ましく、かつ、光重合用開始剤を必要とせず、安定な硬化特性が得られるからである。
【００３６】
表面保護層１５を構成する電離放射線硬化性樹脂組成物には、得られる硬化樹脂層の所望物性に応じて、各種添加剤を配合することができる。この添加剤としては、例えば紫外線吸収剤や光安定剤などの耐候性改善剤や、耐摩耗性向上剤、重合禁止剤、架橋剤、赤外線吸収剤、帯電防止剤、接着性向上剤、レベリング剤、チクソ性付与剤、カップリング剤、可塑剤、消泡剤、充填剤、溶剤、着色剤などが挙げられる。これらの添加剤は、常用されるものから適宜選択して用いることができる。
また、紫外線吸収剤や光安定剤として、分子内に（メタ）アクリロイル基などの重合性基を有する反応性の紫外線吸収剤や光安定剤を用いることもできる。また、本発明のポリマーの表面保護層としての性能を損なわない程度に共重合して使用することもできる。
【００３７】
表面保護層１５の硬化後の厚さは、１〜１，０００μｍであることが好ましい。表面保護層１５の硬化後の厚さが１μｍ以上であれば、耐傷性、耐薬品性、耐候性などの保護層としての十分な物性が得られる。一方、表面保護層１５の硬化後の厚さが１，０００μｍ以下であれば、電離放射線を均一に照射し易く、均一な硬化が得られ易く、経済的にも有利となる。
また、表面保護層１５の硬化後の厚さは、三次元成形性の観点からは、１〜５０μｍがより好ましく、１〜３０μｍがさらに好ましい。当該範囲においては、自動車内装用途などの複雑な３次元形状への高い追従性を得ることができる。
本発明の表面保護層１５は、硬質な電離放射線硬化性樹脂を配合しても優れた三次元成形性を発現させることができる。即ち、三次元成形性を損なうことなく、塗膜を硬くすることができ、優れた耐傷性及び耐薬品性を加飾シート１０に付与することができる。
本発明の加飾シートは、表面保護層の厚さを従来のものより厚くしても、十分に高い三次元成形性が得られることから、特に表面保護層に高い膜厚を要求される部材、例えば車両外装部品などの加飾シートとしても有用である。
【００３８】
表面保護層１５は、前述の電離放射線硬化性樹脂組成物を含有する塗工液を調製し、調製された塗工液をプライマー層１４の表面に（プライマー層１４を設けない場合には、透明フィルム１３の表面に）塗工して未硬化樹脂層を形成し、当該未硬化樹脂層を架橋硬化することで得ることができる。
塗工方式としては、グラビアコート、バーコート、ロールコート、リバースロールコート、コンマコートなどの公知の方式が挙げられるが、好ましくはグラビアコートである。
塗工液の粘度は、基材の表面に未硬化樹脂層を形成し得る粘度であればよく、特に制限はない。
【００３９】
本発明においては、未硬化樹脂層に、電子線、紫外線などの電離放射線を照射して該未硬化樹脂層を硬化させる。ここで、電離放射線として電子線を用いる場合、その加速電圧については、用いる樹脂や層の厚みに応じて適宜選定し得るが、通常加速電圧７０〜３００ｋＶ程度で未硬化樹脂層を硬化させることが好ましい。
なお、電子線の照射においては、加速電圧が高いほど透過能力が増加するため、透明フィルム１３として電子線により劣化する透明フィルムを使用する場合には、電子線の透過深さと樹脂層の厚みが実質的に等しくなるように、加速電圧を選定することにより、透明フィルム１３への余分の電子線の照射を抑制することができ、過剰電子線による基材の劣化を最小限にとどめることができる。
また、照射線量は、樹脂層の架橋密度が飽和する量が好ましく、通常５〜３００ｋＧｙ（０．５〜３０Ｍｒａｄ）、好ましくは１０〜５０ｋＧｙ（１〜５Ｍｒａｄ）の範囲で選定される。
さらに、電子線源としては、特に制限はなく、例えばコックロフトワルトン型、バンデグラフト型、共振変圧器型、絶縁コア変圧器型、あるいは直線型、ダイナミトロン型、高周波型などの各種電子線加速器を用いることができる。
電離放射線として紫外線を用いる場合には、波長１９０〜３８０ｎｍの紫外線を含むものを放射する。紫外線源としては特に制限はなく、例えば高圧水銀燈、低圧水銀燈、メタルハライドランプ、カーボンアーク燈などが用いられる。
【００４０】
このようにして形成された硬化樹脂層には、各種の添加剤を添加して各種の機能、例えば、高硬度で耐傷性を有する、いわゆるハードコート機能、防曇コート機能、防汚コート機能、防眩コート機能、反射防止コート機能、紫外線遮蔽コート機能、赤外線遮蔽コート機能などを付与することもできる。
【００４１】
１−２．透明フィルム
透明フィルム１３は、加飾シート１０の耐薬品性のさらなる向上に寄与する。即ち、薬品の種類や量によっては、薬品が加飾シート１０の基材１１まで浸透して基材１１にダメージを与えことがあるが、透明フィルム１３を設けることによって当該ダメージを低減することが可能となる。なお、透明フィルム１３の「透明」には、無色透明だけでなく、半透明や着色透明も含まれる。
【００４２】
透明フィルム１３は、透明性、三次元成形性、形状安定性、耐薬品性等を考慮して適宜決定されるが、代表的には熱可塑性樹脂のフィルムが使用される。該熱可塑性樹脂としては、一般的には、アクリル樹脂、ポリプロピレン，ポリエチレン等のポリオレフィン系樹脂、ポリカーボネート樹脂、アクリロニトリル−ブタジエン−スチレン樹脂（以下「ＡＢＳ樹脂」という）、ポリエステル樹脂、塩化ビニル樹脂等が使用される。これらの中でも、耐薬品性の観点から、ポリエステル系樹脂、ポリオレフィン系樹脂、アクリル系樹脂及びポリカーボネート系樹脂が好ましく、ポリエステル系樹脂及びポリオレフィン系樹脂がより好ましく、ポリエステル系樹脂がさらに好ましい。また、前記熱可塑性樹脂は、結晶性であっても非晶質であってもよいが、耐薬品性の観点から結晶性であることが好ましく、三次元成形性の観点からは非晶質であることが好ましい。
【００４３】
透明フィルム１３はその上に設けられる層との密着性を向上させるために、所望により、片面又は両面に酸化法や凹凸化法などの物理的又は化学的表面処理を施すことができる。
上記酸化法としては、例えばコロナ放電処理、クロム酸化処理、火炎処理、熱風処理、オゾン・紫外線処理法などが挙げられ、凹凸化法としては、例えばサンドブラスト法、溶剤処理法などが挙げられる。これらの表面処理は、基材の種類に応じて適宜選択されるが、一般にはコロナ放電処理法が効果及び操作性などの面から好ましく用いられる。
透明フィルム１３の厚さは、特に限定されるわけではないが、コスト、三次元成形性、形状安定性等を考慮すると、１０〜２００μｍが好ましく、１５〜１５０μｍがより好ましい。
【００４４】
１−３．基材
基材１１としては、三次元成形性や射出成形される樹脂との相性等を考慮して適宜選択されるが、代表的には熱可塑性樹脂のシートが使用される。該熱可塑性樹脂としては、一般的には、ＡＢＳ樹脂、アクリル系樹脂、ポリプロピレン，ポリエチレン等のポリオレフィン系樹脂、ポリカーボネート樹脂、塩化ビニル樹脂などが使用される。これらの中でも、ＡＢＳ樹脂、ポリオレフィン系樹脂及びアクリル系樹脂が好ましく、ＡＢＳ樹脂がより好ましい。また、基材１１は、これら樹脂の単層シート、あるいは同種又は異種樹脂による複層シートとして使用することができる。
【００４５】
基材１１の厚さは、特に限定されるわけではないが、コスト、三次元成形性、及び形状安定性等を考慮すると、５０〜１，０００μｍが好ましく、２００〜８００μｍがより好ましい。また、基材１１の厚さは、透明フィルム１３の厚さの２倍以上であることが形状保持性の観点から好ましい。
基材１１の曲げ弾性率は、１５００〜３０００ＭＰａであることが好ましい。曲げ弾性率が１５００ＭＰａ以上であると成形性が良好であり、特に真空成形した後の形状安定性に優れる。また、鉛筆硬度試験に代表される表面硬度が向上し、いわゆるえぐれによる傷に対して強い加飾シートとすることができる。一方、曲げ弾性率が３０００ＭＰａ以下であると十分な三次元成形性を確保することができる。以上の観点から、基材１１の曲げ弾性率は１７００〜２６００ＭＰａの範囲がより好ましい。なお、曲げ弾性率はＪＩＳ  Ｋ７１７１（ＩＳＯ１７８）に準拠して測定したものである。
【００４６】
基材１１はその上に設けられる層との密着性を向上させるために、所望により、片面又は両面に酸化法や凹凸化法などの物理的又は化学的表面処理を施すことができる。
上記酸化法としては、例えばコロナ放電処理、クロム酸化処理、火炎処理、熱風処理、オゾン・紫外線処理法などが挙げられ、凹凸化法としては、例えばサンドブラスト法、溶剤処理法などが挙げられる。これらの表面処理は、基材の種類に応じて適宜選択されるが、一般にはコロナ放電処理法が効果及び操作性などの面から好ましく用いられる。
また基材１１はプライマー層を形成するなどの処理を施してもよいし、色彩を整えるための塗装や、デザイン的な観点での模様があらかじめ形成されていてもよい。
【００４７】
１−４．絵柄層
絵柄層１２は加飾樹脂成形品に装飾性を与えるものであり、所望により設けられる層である。絵柄層１２は、種々の模様をインキ組成物と印刷機を使用して印刷することにより形成される。印刷方法としては、グラビア印刷などの通常の印刷方法を採用できる。絵柄層１２は透明フィルム１３上に印刷してもよいし、基材１１上に印刷してもよいが、製造上の観点からは透明フィルム１３上に印刷することが好ましい。
模様としては、木目模様、大理石模様（例えばトラバーチン大理石模様）などの岩石の表面を模した石目模様、布目や布状の模様を模した布地模様、タイル貼模様、煉瓦積模様などがあり、これらを複合した寄木、パッチワークなどの模様もある。これらの模様は通常の黄色、赤色、青色、及び黒色のプロセスカラーによる多色印刷によって形成される他、模様を構成する個々の色の版を用意して行う特色による多色印刷などによっても形成される。
絵柄層１２の厚さはその絵柄により適宜選択される。
【００４８】
絵柄層１２に用いるインキ組成物としては、バインダーに顔料、染料などの着色剤、体質顔料、溶剤、安定剤、可塑剤、触媒、硬化剤などを適宜混合したものが使用される。該バインダーとしては特に制限はなく、例えば、ポリウレタン系樹脂、塩化ビニル／酢酸ビニル系共重合体樹脂、塩化ビニル／酢酸ビニル／アクリル系共重合体樹脂、塩素化ポリプロピレン系樹脂、アクリル系樹脂、ポリエステル系樹脂、ポリアミド系樹脂、ブチラール系樹脂、ポリスチレン系樹脂、ニトロセルロース系樹脂、酢酸セルロース系樹脂などの中から任意のものが、１種単独で又は２種以上を混合して用いられる。
着色剤としては、カーボンブラック（墨）、鉄黒、チタン白、アンチモン白、黄鉛、チタン黄、弁柄、カドミウム赤、群青、コバルトブルーなどの無機顔料、キナクリドンレッド、イソインドリノンイエロー、フタロシアニンブルーなどの有機顔料又は染料、アルミニウム、真鍮などの鱗片状箔片からなる金属顔料、二酸化チタン被覆雲母、塩基性炭酸鉛などの鱗片状箔片からなる真珠光沢（パール）顔料などが用いられる。
【００４９】
１−５．隠蔽層
隠蔽層（図示せず）は、所望により、基材１１と絵柄層１２との間に設けられる層である。基材１１の表面の色の変化、ばらつきにより、加飾シート１０の柄の色に影響を及ぼさないようにする目的で設けられる。隠蔽層はグラビア印刷などの通常の印刷方法やグラビアコート、グラビアリバースコート、グラビアオフセットコート、スピンナーコート、ロールコート、リバースロールコートなどの通常の塗工方法により形成される。
隠蔽層は、通常不透明色で形成することが多く、その厚さは１〜２０μｍ程度の、いわゆるベタ印刷層が好適に用いられる。隠蔽層を形成するインキ組成物は、上記した絵柄層１２に用いられるものから適宜選択して採用することができる。
【００５０】
１−６．プライマー層
プライマー層１４は、表面保護層１５の延伸部に微細な割れや白化を生じにくくする効果を奏するものであり、所望により設けられる層である。
プライマー層１４の厚さは０．１〜１０μｍ程度であることが好ましく、１〜１０μｍであることがより好ましい。０．１μｍ以上であると、表面保護層の割れ、破断、白化などを防ぐ効果を十分に発揮させることができる。一方、プライマー層の厚さが１０μｍ以下であれば、プライマー層を塗工した際、塗膜の乾燥、硬化が安定であるので三次元成形性が変動することが無く好ましい。
【００５１】
プライマー層１４は、グラビアコート、グラビアリバースコート、グラビアオフセットコート、スピンナーコート、ロールコート、リバースロールコート、キスコート、ホイラーコート、ディップコート、シルクスクリーンによるベタコート、ワイヤーバーコート、フローコート、コンマコート、かけ流しコート、刷毛塗り、スプレーコートなどの通常の塗工方法や転写コーティング法により形成される。転写コーティング法は、一旦、薄いシート（フィルム基材）にプライマー層１４の塗膜を形成し、しかる後に加飾シート１０中の対象となる層表面に被覆する方法である。
【００５２】
プライマー層１４を構成するプライマー組成物は、（メタ）アクリル樹脂、ウレタン樹脂、（メタ）アクリル・ウレタン共重合体樹脂、塩化ビニル−酢酸ビニル共重合体、ポリエステル樹脂、ブチラール樹脂、塩素化ポリプロピレン、塩素化ポリエチレンなどが用いられる。
（メタ）アクリル樹脂としては、（メタ）アクリル酸エステルの単独重合体、２種以上の異なる（メタ）アクリル酸エステルモノマーの共重合体、又は（メタ）アクリル酸エステルと他のモノマーとの共重合体が挙げられ、具体的には、ポリ（メタ）アクリル酸メチル、ポリ（メタ）アクリル酸エチル、ポリ（メタ）アクリル酸プロピル、ポリ（メタ）アクリル酸ブチル、（メタ）アクリル酸メチル・（メタ）アクリル酸ブチル共重合体、（メタ）アクリル酸エチル・（メタ）アクリル酸ブチル共重合体、エチレン・（メタ）アクリル酸メチル共重合体、スチレン・（メタ）アクリル酸メチル共重合体などの（メタ）アクリル酸エステルを含む単独又は共重合体からなる（メタ）アクリル樹脂が好適に用いられる。ここで（メタ）アクリルとはアクリル又はメタクリルを意味する。
【００５３】
ウレタン樹脂としては、ポリオール（多価アルコール）を主剤とし、イソシアネートを架橋剤（硬化剤）とするポリウレタンを使用できる。ポリオールとしては、分子中に２個以上の水酸基を有するもので、例えばポリエステルポリオール、ポリエチレングリコール、ポリプロピレングリコール、アクリルポリオール、ポリエーテルポリオールなどが使用される。前記イソシアネートとしては、分子中に２個以上のイソシアネート基を有する多価イソシアネート、４，４−ジフェニルメタンジイソシアネートなどの芳香族イソシアネート、或いはヘキサメチレンジイソシアネート、イソホロンジイソシアネート、水素添加トリレンジイソシアネート、水素添加ジフェニルメタンジイソシアネートなどの脂肪族（又は脂環族）イソシアネートが用いられる。また、ウレタン樹脂とブチラール樹脂を混ぜて構成することも可能である。
【００５４】
（メタ）アクリル・ウレタン共重合体樹脂としては、例えばアクリル／ウレタン(ポリエステルウレタン)ブロック共重合系樹脂が好ましい。硬化剤としては、上記の各種イソシアネートが用いられる。アクリル／ウレタン(ポリエステルウレタン)ブロック共重合系樹脂は所望により、アクリル/ウレタン比（質量比）を好ましくは（９／１）〜（１／９）、より好ましくは（８／２）〜（２／８）の範囲で調整し、種々の加飾シートに用いることができるので、プライマー組成物に用いられる樹脂として特に好ましい。
【００５５】
１−７．接着剤層
接着層（図示せず）は、加飾シート１０と射出樹脂との密着性を向上させるため、所望により、基材１１の裏面（表面保護層１５とは反対側の面）に設けられる層である。接着剤層には、射出樹脂に応じて、熱可塑性樹脂又は硬化性樹脂が用いられる。熱可塑性樹脂としては、アクリル樹脂、アクリル変性ポリオレフィン樹脂、塩素化ポリオレフィン樹脂、塩化ビニル−酢酸ビニル共重合体、熱可塑性ウレタン樹脂、熱可塑性ポリエステル樹脂、ポリアミド樹脂、ゴム系樹脂などが挙げられ、これらは１種又は２種以上を混合して用いることができる。また、熱硬化性樹脂としては、ウレタン樹脂、エポキシ樹脂などが挙げられる。
接着層の厚さは、特に限定されないが、０．１〜１０μｍ程度であることが好ましい。
接着層は、塗工方法としては、プライマー層１４と同様の塗工方法を採用することができる。
【００５６】
２．加飾樹脂成形品
本発明の加飾樹脂成型品は、本発明の加飾シートと、射出樹脂とを有する。
前記射出樹脂は、特に限定されないが、ポリエチレン、ポリプロピレンなどのポリオレフィン系樹脂、ＡＢＳ樹脂、スチレン樹脂、ポリカーボネート樹脂、アクリル樹脂、塩化ビニル樹脂などの熱可塑性樹脂が代表的である。また、ウレタン樹脂、エポキシ樹脂等の熱硬化性樹脂なども用途に応じ用いることができる。
【００５７】
本発明の加飾樹脂成形品は、本発明の加飾シートを用いて、インサート成形法、射出成形同時加飾法、ブロー成形法、ガスインジェクション成形法などの各種射出成形法、好ましくはインサート成形法及び射出成形同時加飾法により作製される。
【００５８】
インサート成形法では、真空成形工程において、本発明の加飾シートを真空成形型により予め成形品表面形状に真空成形（オフライン予備成形）し、次いで必要に応じて余分な部分をトリミングして成形シートを得る。この成形シートを射出成形型に挿入し、射出成形型を型締めし、流動状態の樹脂を型内に射出し、固化させて、射出成形と同時に樹脂成形物の外表面に加飾シートを一体化させ、加飾樹脂成形品を製造する。
【００５９】
次に、射出成形同時加飾法においては、本発明の加飾シートを射出成形の吸引孔が設けられた真空成形型との兼用雌型に配置し、この雌型で予備成形（インライン予備成形）を行った後、射出成形型を型締めして、流動状態の樹脂を型内に射出充填し、固化させて、射出成形と同時に樹脂成形物の外表面に加飾シートを一体化させ、加飾樹脂成形品を製造する。
なお、射出成形同時加飾法では、射出樹脂による熱圧を加飾シートが受けるため、平板に近く、加飾シートの絞りが小さい場合には、加飾シートは予熱してもしなくてもよい。
【００６０】
以上のようにして製造された加飾樹脂成形体は、その表面保護層に成形過程でクラックが入ることがなく三次元成形性が良好であり、その表面は高い耐傷付き性を有する。また、耐溶剤性及び耐薬品性が高い。さらに本発明の製造方法では、加飾シートの製造段階で表面保護層が完全硬化されるので、加飾樹脂成形体を製造した後に表面保護層を架橋硬化する工程が不要である。
【実施例】
【００６１】
次に、本発明を実施例により、さらに詳細に説明するが、本発明は、この例によってなんら限定されるものではない。
評価方法
（１）三次元成形性
後述の実施例及び比較例で得た加飾シートを赤外線ヒーターで１６０℃に加熱し、軟化させた。次いで、真空成形用型を用いて真空成形を行い（最大延伸倍率１００％）、型の内部形状に成形した。シートを冷却後、型より加飾シートを離型した。評価基準は以下のとおりである。
◎；問題無し
○；三次元形状部又は最大延伸部の一部に微細な塗膜割れ又は白化が認められたが実用上問題なし。
△；三次元形状部又は最大延伸部の一部に軽微な塗膜割れ又は白化が発生した。
×；型の形状に追従できずに表面保護層に塗膜割れや白化が見られた。
××；シートが硬すぎて、真空成形できなかった。
（２）形状安定性
上記の離型後の加飾シートを室温にて１週間放置し、形状の歪み、収縮を確認した。評価基準は以下の通りである。
◎；形状に歪みなし
○；形状に軽微な歪みが生じたものの実用上問題無し
×；形状が著しく歪み、真空成形時の形状を保持できなかった。
【００６２】
（３）耐傷性
実施例及び比較例で得た加飾シートを＃００００スチールウールを用いて荷重１．５ｋｇｆで５回往復させた後、その外観を評価した。評価基準は以下のとおりである。
◎；傷付きがなかった。
○；表面に微細な傷が認められたが、塗膜の削れや白化はなかった。
△；表面に軽微な傷があった。
×；表面に著しい傷があった。
【００６３】
（４）耐薬品性
実施例及び比較例で得た加飾シートのシート片１０ｃｍ×１０ｃｍに虫除けスプレー（Ｎ，Ｎ−ジエチル−ｍ−トルアミド１０％）を０．５ｇ塗布した。６０℃のオーブンに３０分間放置後、オーブンから取り出し、室温になるまで放冷した。その後、中性洗剤を用い水洗し外観を確認した。
◎；外観変化なし。
○；表面に極軽微な白化、膨潤が認められたが、著しい白化、膨潤、溶解等は見られなかった。
△；表面に極軽微な白化、膨潤、溶解が認められた。
×；表面に著しい白化、膨潤、溶解があった。
【００６４】
（５）分子量の測定
東ソー（株）製高速ＧＰＣ装置を用いた。用いたカラムは東ソー（株）製、商品名「ＴＳＫｇｅｌ  αＭ」であり、溶媒はＮ−メチル−２−ピロリジノン（ＮＭＰ）を用い、カラム温度４０℃、流速０．５ｃｃ／ｍｉｎで測定を行なった。尚、本発明における重量平均分子量はポリスチレン換算を行った値である。
【００６５】
実施例１〜８、比較例４〜５
表１に示す透明フィルムの両面にコロナ処理を施した。該透明フィルムの一方の面に、アクリル系樹脂インキを用いグラビア印刷にて木目柄の絵柄層を形成した。もう一方の面にプライマー層としてアクリルポリオール／ポリウレタン混合樹脂にジヘキサメチレンイソシアネートをＮＣＯ当量となるように混合したインキを厚み１μｍとなるように印刷した。
次に、前記プライマー層の表面に、第１表に示す組成の電子線硬化性樹脂組成物を硬化後の厚さが１０μｍとなるようにグラビアリバースにて塗布した。この未硬化樹脂層に加速電圧１６５ｋＶ、照射線量５０ｋＧｙ（５Ｍｒａｄ）の電子線を照射して、電子線硬化性樹脂組成物を硬化させ印刷フィルムを作製した。
前記印刷フィルムの絵柄層の表面にウレタン樹脂からなる接着剤を乾燥後の厚み１０μｍとなるようにグラビアリバースにて塗布し、表１に示す基材と貼り合わせた。これを室温にて１週間養生し、加飾シートを得た。
【００６６】
比較例１〜３
表１に示す透明フィルムの片面にコロナ処理を施した。該透明フィルムのコロナ処理を施した面に、アクリル系樹脂インキを用いグラビア印刷にて木目柄の絵柄層を形成した。
次に、前記絵柄層の表面にウレタン樹脂からなる接着剤を乾燥後の厚み１０μｍとなるようにグラビアリバースにて塗布し、表１に示す基材と貼り合わせた。これを室温にて１週間養生し、加飾シートを得た。
【００６７】
比較例６
表１に示す基材の片面にコロナ処理を施した。該基材のコロナ処理を施した面にアクリル系樹脂インキを用いグラビア印刷にて木目柄の絵柄層を形成した。次いで、絵柄層の表面にプライマー層としてアクリルポリオール／ポリウレタン混合樹脂にジヘキサメチレンイソシアネートをＮＣＯ当量となるように混合したインキを厚み１μｍとなるように印刷した。
次に、前記プライマー層の表面に、表１に示す組成の電子線硬化性樹脂組成物を樹脂組成物の硬化後の厚さが１０μｍとなるようにグラビアコートにより塗工した。この未硬化樹脂層に加速電圧１６５ｋＶ、照射線量５０ｋＧｙ（５Ｍｒａｄ）の電子線を照射して、電子線硬化性樹脂組成物を硬化させた。これを室温にて１週間養生し、加飾シートを得た。
【００６８】
【表１】
0005850129.tif 000004
【００６９】
【表２】
0005850129.tif 000005
【００７０】
［注］
ＥＢ１；２官能ポリカーボネートアクリレート(重量平均分子量：１０，０００)：６官能ウレタンアクリレートオリゴマー(重量平均分子量：６，０００)＝９０：１０（質量比）
ＥＢ２；２官能ポリカーボネートアクリレート(重量平均分子量：１０，０００)：６官能ウレタンアクリレートオリゴマー(重量平均分子量：６，０００)＝７０：３０（質量比）
ＥＢ３；アクリルシリコーンアクリレート(重量平均分子量：２０，０００、硬化後の架橋点間分子量２００)：６官能ウレタンアクリレートオリゴマー(重量平均分子量：５，０００)＝７０：３０（質量比）
ＥＢ４；アクリルシリコーンアクリレート(重量平均分子量：２０，０００、硬化後の架橋点間分子量２００)：６官能ウレタンアクリレートオリゴマー(重量平均分子量：５，０００)＝９０：１０（質量比）
ＥＢ５；６官能ウレタンアクリレートオリゴマー(重量平均分子量：２０，０００)
ＥＢ６；２官能ウレタンアクリレートオリゴマー(重量平均分子量：２０，０００)
ＰＥＴ１；結晶性ＰＥＴ
ＰＥＴ２；非晶性ＰＥＴ（ＰＥＴ-Ｇ）
ＰＥＴ３；非晶性ＰＥＴ（Ａ-ＰＥＴ）
ＡＢＳ１：曲げ弾性率１,８００ＭＰａ
ＡＢＳ２：曲げ弾性率２,５００ＭＰａ
【００７１】
本発明の加飾シート（実施例１〜８）では、特定の電離放射線硬化性樹脂組成物を用いて表面保護層を形成し、且つ透明フィルムを設けることで、実用上問題ないレベルの良好な三次元成形性及び形状安定性を保持しながら、優れた耐傷性や耐薬品性を示すことが確認された。
【産業上の利用可能性】
【００７２】
本発明の加飾シートは各種加飾樹脂成形品に用いられ、例えば、自動車などの車両の内装材又は外装材、幅木、回縁等の造作部材、窓枠、扉枠等の建具、壁、床、天井等の建築物の内装材、テレビ受像機、空調機等の家電製品の筐体、容器などの用途の加飾樹脂成形品に好適に用いられる。
【符号の説明】
【００７３】
１０．加飾シート
１１．基材
１２．絵柄層
１３．透明フィルム
１４．プライマー層
１５．表面保護層
【図１】
0005850129.tif 000006